(57)【特許請求の範囲】
【請求項１】
気体を湯水に加圧して溶解させる溶解タンクと、浴槽内の湯水を取り出し、取り出した湯水を前記溶解タンクに圧送し、溶解タンク内で生成した気体溶解水を浴槽内に送り出すポンプとが、縦列配置されて浴室設置用の固定装置に固定され、前記溶解タンクは、前記ポンプの吐出側に接続され、前記ポンプの吸い込み側に吸い込み配管が接続され、この吸い込み配管は、浴槽内に連通する吸い込み口に向かって延び、前記溶解タンクの吐出側に流出配管が接続され、この流出配管は、浴槽内に連通する吐出口に向かって延びている気体溶解装置において、
前記固定装置は、前記浴槽が設置される床下地上に配置され、
前記固定装置は、支持台部と土台部を備え、前記支持台部は、前記溶解タンクと前記ポンプを固定し、収容する本体部と、前記土台部に対して前記本体部を回転自在に支持し、前記本体部の設置高さを調節可能とする脚部とから形成され、この脚部は、前記本体部の下端に接続され、
前記吸い込み配管と前記ポンプの吸い込み側との第１接続部と、前記流出配管と前記溶解タンクの吐出側との第２接続部との下側に防水パンが設けられ、この防水パンでは、前記第１接続部および前記第２接続部側の一端部に、上下に貫通する開口が形成され、この開口に前記固定装置の前記脚部が嵌め込まれて前記防水パンが前記固定装置に固定されていることを特徴とする気体溶解装置の設置構造。
【請求項２】
前記防水パンは、前記吸い込み配管および前記流出配管の長さ方向に沿って延びる細長形状を有していることを特徴とする請求項１に記載の気体溶解装置の設置構造。
【請求項３】
前記防水パンでは、前記固定装置から遠い方の長手方向の端部に排水口が形成されていることを特徴とする請求項２に記載の気体溶解装置の設置構造。
【発明の詳細な説明】
【技術分野】
【０００１】
本発明は、空気などの気体を浴槽内の湯水に溶解させる気体溶解装置を浴室内に設置するための気体溶解装置の設置構造に関する。
【背景技術】
【０００２】
空気などの気体の気泡径が0.1〜1000μm程度の大きさの微細気泡を浴槽内の湯水中に発生させ、入浴の効能を高めるために、浴槽内の湯水に気体を加圧して溶解させる気体溶解装置が知られている。本出願人もこれまでに下記特許文献１に記載したような気体溶解装置を提案している。
【０００３】
特許文献１に記載した気体溶解装置では、気体が溶解した液体を生成する溶解タンクを固定する溶解タンク固定部と、溶解タンクに流体を供給するポンプを固定するポンプ固定部とを有し、このポンプ固定部が溶解タンク固定部の下方に配置された固定装置が設けられている。この固定装置において、溶解タンク固定部に溶解タンクが固定されるとともに、ポンプ固定部にポンプが固定されることによって、溶解タンクとポンプが上下に縦列して配置される。
【０００４】
このような溶解タンクとポンプの縦列配置により、上記気体溶解装置は、装置全体がコンパクトなものとなり、省スペース化を一層図ることができ、しかも溶解タンクが安定に設置されるという利点を有している。
【先行技術文献】
【特許文献】
【０００５】
【特許文献１】特開２０１０−２２７７８０号公報
【発明の概要】
【発明が解決しようとする課題】
【０００６】
ところで、これまでの浴室の床面は、洗い場の床面を形成する洗い場側床パンと、浴槽の設置面を形成する浴槽側床パンとが連設されて形成されていたが、床パン全体が大型のものであるため、浴室の施工後に床パンを浴室内に搬入し、設置することができないという不都合さがあった。
【０００７】
そのような不都合さを解消するために、浴槽側床パンを省略し、浴槽は、浴室の床下地に直接設置するという施工形態が取られることがある。この場合、上記特許文献１に示したような気体溶解装置も床下地上に設置され、浴槽との接続部には、パッキンの介設やコーキングの施工などの防水処理が施される。
【０００８】
しかしながら、上記防水処理は、経年変化などにともなう水漏れが懸念され、建物の躯体保護の観点からも十分な防水性の確保が望まれる。
【０００９】
本発明は、以上のとおりの事情に鑑みてなされたものであり、気体溶解装置と浴槽の接続部における水漏れに対する防護を十分にかつ簡便に実現することのできる気体溶解装置の設置構造を提供することを課題としている。
【課題を解決するための手段】
【００１０】
上記の課題を解決するために、本発明の気体溶解装置の設置構造は、気体を湯水に加圧して溶解させる溶解タンクと、浴槽内の湯水を取り出し、取り出した湯水を溶解タンクに圧送し、溶解タンク内で生成した気体溶解水を浴槽内に送り出すポンプとが、縦列配置されて浴室設置用の固定装置に固定され、溶解タンクは、ポンプの吐出側に接続され、ポンプの吸い込み側に吸い込み配管が接続され、この吸い込み配管は、浴槽内に連通する吸い込み口に向かって延び、溶解タンクの吐出側に流出配管が接続され、この流出配管は、浴槽内に連通する吐出口に向かって延びている気体溶解装置において、固定装置は、浴槽が設置される床下地上に配置され、固定装置は、支持台部と土台部を備え、支持台部は、溶解タンクとポンプを固定し、収容する本体部と、土台部に対して本体部を回転自在に支持し、本体部の設置高さを調節可能とする脚部とから形成され、この脚部は、本体部の下端に接続され、吸い込み配管と前記ポンプの吸い込み側との第１接続部と、流出配管と溶解タンクの吐出側との第２接続部との下側に防水パンが設けられ、この防水パンでは、第１接続部および第２接続部側の一端部に、上下に貫通する開口が形成され、この開口に固定装置の脚部が嵌め込まれて防水パンが固定装置に固定されていることを特徴とする。
【００１１】
この気体溶解装置の設置構造においては、防水パンは、吸い込み配管および流出配管の長さ方向に沿って延びる細長形状を有していることが好ましい。
【００１２】
この気体溶解装置の設置構造においては、防水パンでは、固定装置から遠い方の長手方向の端部に排水口が形成されていることが好ましい。
【発明の効果】
【００１３】
本発明の気体溶解装置の設置構造によれば、気体溶解装置と浴槽の接続部における水漏れに対する防護を十分にかつ簡便に実現することができる。
【図面の簡単な説明】
【００１４】
【図１】本発明の気体溶解装置の設置構造の一実施形態を示した斜視図である。
【図２】図１に示した気体溶解装置の設置構造の側面図である。
【図３】図１に示した気体溶解装置の設置構造の具体例を示した要部断面図である。
【発明を実施するための形態】
【００１５】
図１は、本発明の気体溶解装置の設置構造の一実施形態を示した斜視図である。図２は、図１に示した気体溶解装置の設置構造の側面図である。図３は、図１に示した気体溶解装置の設置構造の具体例を示した要部断面図である。
【００１６】
図１および図２に示した気体溶解装置１は、空気などの気体を湯水に加圧して溶解させる溶解タンク２と、浴槽内の湯水を取り出し、取り出した湯水を溶解タンク２に圧送し、溶解タンク２内で生成した気体溶解水を浴槽内に送り出すポンプ３とを備えている。溶解タンク２は、やや縦長で箱状の形状を有する中空なタンクである。溶解タンク２は、ポンプ３の吐出側に配管により接続され、溶解タンク２とポンプ３は互いに連通している。
【００１７】
また、気体溶解装置１には、溶解タンク２とポンプ３を固定する、浴室設置用の固定装置４が設けられている。固定装置４は、支持台部５と土台部６を備えている。支持台部５は、溶解タンク２とポンプ３を固定し、収容する本体部７と、土台部６に対して本体部７を回転自在に支持し、本体部７の設置高さを調節可能とする脚部８とから形成されている。脚部８は、本体部７の下端に接続されている。
【００１８】
本体部７は、上面および前面の全面が開放されている。本体部７の上端部には、溶解タンク２を固定するための溶解タンク固定部９が配置され、溶解タンク固定部９の下方に、ポンプ３を固定するためのポンプ固定部１０が配置されている。溶解タンク固定部９は、本体部７の上端部において外側方にフランジ状に突出する固定面部１１を有している。ポンプ固定部１０では、本体部７の下部側の背面が固定面１２とされている。
【００１９】
土台部６は、円錐台状で、裾の広がった形状を有し、その下端部に、円環状の形状を有する浴室への設置面部１３を有している。支持台部５を形成する脚部８は、たとえば、土台部６に対してねじ込み式で回転自在とされ、ねじ込む深さに応じて本体部７の設置高さを調節可能とすることができる。この場合、脚部８の下端部の外周面部および脚部８を受け入れる土台部６の内周面部には、いずれか一方に雄ねじを、他方に雌ねじを設けることができる。
【００２０】
このような固定装置４は、図３に示したように、浴槽１４が設置される床下地１５に土台部６の設置面部１３を載置して配置され、脚部８によって本体部７の高さを調節し、溶解タンク２およびポンプ３が所定位置に配置される。本体部７には溶解タンク２およびポンプ３が固定されることから、土台部６の設置面部１３と床下地１５の間に制振材１６を設けることができ、この場合、ポンプ３の作動にともなう振動が浴室に伝播するのを制振材１６によって抑制することができる。
【００２１】
なお、土台部６と脚部８を相互が嵌合するように形成し、両者の間に制振材を挟んで土台部６と脚部８が嵌合するようにすることも可能である。この場合も、同様に振動が伝播するのが抑制される。
【００２２】
また、図１および図２に示したように、ポンプ３は、本体部７のポンプ固定部１０における固定面１２に、ボルトなどの固着具１７によって固定装置４に固定されている。このようなポンプ３の固定にも、本体部７との間に制振材を介在させることができ、ポンプ３の作動にともなう振動の伝播を抑制することができる。また、本体部７とポンプ３の間には伝熱体を介在させることもできる。伝熱体によってポンプ３のモータが発生する熱を支持台部５に放熱してモータの過熱を防止することができる。さらに、支持台部５には通気口を設けることができ、この場合、通気口からの放熱が可能となる。
【００２３】
溶解タンク２には、下端部寄りの外周部に、外側方に突出するフランジ部１８、１９が設けられている。フランジ部１８は、フランジ部１９の上に配置され、両フランジ部１８、１９は重なり合っている。溶解タンク２は、固定装置４に備えた支持台部５の本体部７における溶解タンク固定部９の固定面部１１の上に下側のフランジ部１９を重ね合わせて載置されている。この載置にともなって、溶解タンク２においてフランジ部１９より下側の部分は、本体部７の内部に上方から挿入される。そして、フランジ部１８、１９と固定面部１１が、所定の部位においてボルトなどの固着具２０によって締結され、溶解タンク２が、固定装置４の溶解タンク固定部９に固定されている。溶解タンク２は、このような固定状態において、固定装置４に上記のとおりに固定されたポンプ３の上側に配置され、溶解タンク２とポンプ３は上下に縦列して配置されている。溶解タンク２には、その底部からポンプ３により、図３に示した浴槽１４内の湯水が圧送される。このように溶解タンク２を固定する場合にも、フランジ部１８、１９と固定面部１１との間に制振材を設け、気体溶解水の生成にともなって発生する振動が、固定装置４に伝播するのを抑制することもできる。
【００２４】
溶解タンク２は、また、高さ方向の中央部よりやや下側において分割され、上側を上部ユニット２１、下側を下部ユニット２２としている。上部ユニット２１の下端縁部にフランジ部１８が設けられ、下部ユニット２２の上端縁部にフランジ部１９が設けられている。溶解タンク２は、フランジ部１８、１９を互いに重ね合わせ、重なり合うフランジ部１８、１９の所定の部位においてボルトやナットなどの固着具により上部ユニット２１と下部ユニット２２を締結することによって組み立てられ、一体とされている。
【００２５】
また、気体溶解装置１では、溶解タンク２の外部に溶解タンク２内の上部と底部を連通させる気体循環経路２３が設けられている。気体循環経路２３は、溶解タンク２の底部にエジェクタなどを介して接続されている。
【００２６】
ポンプ３の吸い込み側には、蛇腹管などから形成された吸い込み配管２４が接続されている。吸い込み配管２４は、図３に示した浴槽１４に連通する吸い込み口２５に向かって延びている。溶解タンク２には、下部ユニット２２の底部に配置された吐出側に、同じく蛇腹管などから形成された流出配管２６が接続されている。流出配管２６は、図３に示した浴槽１４に連通する吐出口２７に向かって延びている。吸い込み口２５と吐出口２７は、図３に示したように、浴槽１４の側壁部に接続され、固定される浴槽接続部２８に形成されている。浴槽接続部２８では、図１および図２に示したように、その外周部に吸い込み口２５が形成され、正面部に吐出口２７が形成されている。また、浴槽接続部２８は、吸い込み口２５から吸い込み配管２４に連通する第１流路と、吐出口２７から流出配管２６に連通する第２流路とを備え、これらの第１流路および第２流路は、浴槽接続部２８では互いに独立しており、相互に連通していない。
【００２７】
また、気体溶解装置１では、溶解タンク２内に導入する浴槽１４内の湯水に空気などの気体を混合し、気液混合流体を生成するために、気体取り込み口２９が溶解タンク２の上壁部３０の上方に配置されている。気体取り込み口２９は、吸い込み配管３１の上端に設けられ、吸い込み配管３１の下端部は、ポンプ３の吸い込み側と吸い込み配管２４との接続部である第１接続部３２付近に、エジェクタなどの気体導入部３３を介して接続されている。
【００２８】
溶解タンク２の上壁部３０には、気体溶解水の生成の際に余剰となる空気を溶解タンク２内から放出する気体放出弁３４が設けられている。気体放出弁３４は、溶解タンク２内における気体溶解水の水面の高さに追随して浮沈し、上下方向に移動可能なフロートを有し、水面の高さの変化にともないフロートが上下動することによって、溶解タンク２内に貯留している気体の放出と停止を行う。このような気体放出弁３４は、溶解タンク２の上壁部３０においてその端縁部に向かって斜め下方に傾斜する傾斜面部に取り付けられている。
【００２９】
このような気体溶解装置１では、ポンプ３の作動によって、図３に示した浴槽１４内の湯水が、浴槽接続部２８の吸い込み口２５から吸い込まれ、吸い込み配管２４を図１図中に示した矢印方向に流れ、溶解タンク２内に圧送される。溶解タンク２内では、圧送された湯水が、溶解タンク２の底部から噴出し、溶解タンク２内に貯留していた空気などの気体や、湯水の圧送にともなって気体取り込み口２９から吸引される浴室内の空気などの気体と混合され、湯水中に空気が溶解し、気体溶解水が生成する。気体溶解水は、溶解タンク２の吐出側に接続された流出配管２６に流出し、図１図中に示した矢印方向に流れ、浴槽接続部２８の吐出口２７から浴槽１４内に噴出する。このとき、気体溶解水は、浴槽接続部２８において、また、浴槽１４内に噴出するときに減圧され、この減圧により湯水に溶解していた気体が析出し、微細気泡が発生する。浴槽１４内の湯水は、ポンプ３の作動によって循環し、この循環が繰り返され、浴槽１４内の湯水の気泡量が増加し、浴槽１４内の湯水は微細気泡によって白濁し、牛乳風呂のような趣が現出する。
【００３０】
図１および図２に示した気体溶解装置の設置構造では、上記のとおりの第１接続部３２と、流出配管２６と溶解タンク２の吐出側との第２接続部３５との下側に防水パン３６が設けられている。防水パン３６は、樹脂製などとすることができ、吸い込み配管２４および流出配管２６の長さ方向に沿って延びる細長形状を有する、トレイ状の部材であり、外周縁部には、上方に延びる周壁３７が設けられている。また、防水パン３６は、浴槽接続部２８にまで至る長さを有し、その底面は、第１接続部３２および第２接続部３５側から浴槽接続部２８に向かって緩やかに下降するように傾斜している。
【００３１】
このような防水パン３６は、第１接続部３２および第２接続部３５側の一端部において固定装置４に固定されている。具体的には、防水パン３６では、第１接続部３２および第２接続部３５側の一端部に、上下に貫通する円形の開口３８が形成され、開口３８に固定装置４の脚部８が嵌め込まれて、防水パン３６が固定装置４に固定されている。開口３８には円環状のパッキン３９が取り付けられ、開口３８における防水パン３６の水密性が高められている。
【００３２】
また、防水パン３６では、固定装置４から遠い方の長手方向の端部、すなわち、浴槽接続部２８側の端部に、上下に貫通する円形の排水口４０が形成されている。排水口４０から下方には、円筒状の排水管接続部４１が延設されている。
【００３３】
このように、図１および図２に示した気体溶解装置の設置構造では、第１接続部３２および第２接続部３５の下側に防水パン３６が設けられ、防水パン３６は、固定装置４に固定されているので、第１接続部３２および第２接続部３５において水漏れが発生したとしても、漏出する湯水などを防水パン３６で受けることができる。図３に示した床下地１５が湯水で濡れるのが抑制される。気体溶解装置１と浴槽１４の接続部における水漏れに対する防護を十分にかつ簡便に実現することができる。したがって、浴室において浴槽１４側に床パンが設置されなくとも、防水性を高めることができ、しかも、気体溶解装置１は、浴槽１４の施工後に容易に設置することができる。また、防水パン３６の固定装置４への固定にはパッキン３９が介在しているので、開口３８からの湯水などの漏出も十分に抑えられる。
【００３４】
また、防水パン３６は、吸い込み配管２４および流出配管２６の長さ方向に沿って延びる細長形状を有しているので、浴槽接続部２８における水漏れについても上記と同様に対処することができる。湯水を受ける領域が広く、気体溶解装置１と浴槽１４の接続部の全てにおける水漏れに対する防護を十分にかつ簡便に実現することができる。また、防水パン３６は、コンパクトなものであり、気体溶解装置１の設置に支障を及ぼすことはなく、また、防水パン３６を設けることによるコストの高騰を抑えることもできる。
【００３５】
さらに、防水パン３６では、固定装置４から遠い方の長手方向の端部に排水口４０が形成されているので、防水パン３６で受けた湯水などを排水管を通じて適宜排水することができる。漏出した湯水などが床パン３６から溢れ出るのを抑制することができる。
【００３６】
このような気体溶解装置の設置構造を用いて気体溶解装置１を浴室内に設置する際には、図３に示したように、浴室の床下地１５上に浴槽１４が設置された状態において気体溶解装置１を設置することができる。図３に示した例では、床下地１５の下側には、浴槽１４内の湯水を排水するための排水トラップ４２が埋設されている。浴槽１４の底面に上下に貫通して形成された排水口４３から下方に排水管４４が延設され、排水管４４は、排水トラップ４２の上部に挿入されている。
【００３７】
気体溶解装置１は、固定装置４の土台部６を床下地１５上に載置して浴槽１４の洗い場４５側に位置する一つのコーナー部に配置されている。浴槽接続部２８が、浴槽１４の洗い場４５側の側壁部に接続され、固定されている。防水パン３６の下方に延設された排水管接続部４１に排水管４６の一端部が接続され、排水管４６の他端部は、排水トラップ４２の上部に挿入されている。防水パン３６で受けた湯水などは、排水口４０および排水管４６を通じ、図３図中に示した矢印方向に排水トラップ４２へと導かれ、排水される。洗い場４５側には、床パン４７が設置され、洗い場４５の床面が形成されている。床パン４７では、その外周部に起立する周壁４８が設けられ、洗い場４５で使用する湯水が浴槽１４側に漏出するのを抑制する。浴槽１４の上端周縁部に設けられた外側方に延設されたフランジ４９の洗い場４５の端部から床パン４７の周壁４８に向かってエプロン５０が設けられている。エプロン５０によって、気体溶解装置１は隠蔽されている。
【００３８】
本発明は、以上の実施形態によって限定されるものではない。溶解タンク、ポンプおよび固定装置の構成および構造、防水パンの形状、大きさおよび材質などの細部については、様々な態様が可能である。
【符号の説明】
【００３９】
１  気体溶解装置
２  溶解タンク
３  ポンプ
４  固定装置
１４  浴槽
２４  吸い込み配管
２５  吸い込み口
２６  流出配管
２７  吐出口
３２  第１接続部
３５  第２接続部
３６  防水パン
４０  排水口
【図１】
0005620288.tif 000002
【図２】
0005620288.tif 000003
【図３】
0005620288.tif 000004